(57)【要約】【課題】４面防塵マスクを提供する。【解決手段】鼻を覆う上部フィルター紙（１１）及び顎を覆う下部フィルター紙（１２）が中央突出フィルター紙（４０）に付着するが、上部フィルター紙（１１）及び下部フィルター紙（１２）の両端が、中央突出フィルター紙（４０）を二分する湾曲接地線（４１）の両端に表示された中心点（Ｐ）に合うように共に付着し、湾曲接地線（４１）は、中心点Ｐから所定の長さを有する直線部（４１ａ）の形態に突出形成されて、上部フィルター紙（１１）及び下部フィルター紙（１２）の展開過程で中央突出フィルター紙（４０）はドーム状に突出することを特徴とする面防塵マスクである。【選択図】  図５
2010057903.tif 000002
【特許請求の範囲】
【請求項１】
鼻を覆う上部フィルター紙（１１）及び顎を覆う下部フィルター紙（１２）が中央突出フィルター紙（４０）に付着するが、上部フィルター紙（１１）及び下部フィルター紙（１２）の両端が、中央突出フィルター紙（４０）を二分する湾曲接地線（４１）の両端に表示された中心点（Ｐ）に合うように共に付着し、前記湾曲接地線（４１）は、中心点Ｐから所定の長さを有する直線部（４１ａ）の形態に突出形成されて、上部フィルター紙（１１）及び下部フィルター紙（１２）の展開過程で中央突出フィルター紙（４０）はドーム状に突出することを特徴とする面防塵マスク。
【発明の詳細な説明】
【技術分野】
【０００１】
本発明は、防塵マスクに係り、さらに詳細には、防塵マスクが着用された状態で粉じんの濾過性能を向上させるために、着用者の頬と接触する防塵マスクの面積を最小化し、粉じん濾過のためのフィルター紙は前面に突出させて濾過面積を最大限に確保することができる４面防塵マスクに関する。
【背景技術】
【０００２】
防塵マスクは、産業全般に渡って使用されている。例えば、有毒ガスの排出の甚だしい化学工場や、金属粉及び溶接煙などが発生する金属製錬現場または製紙関連や紡織工場などで作業者の健康を保護するために多く着用される。また、粉じんの発生が極めて制限的であるべき半導体研究室（または半導体製造現場）では、着用者の健康よりは製品の品質のために清浄な作業空間を造成するために防塵マスクが着用されている。
【０００３】
一方、日常生活でも防塵マスクはよく着用されている。最近、春に中国からの黄砂風のため黄砂注意報が発令されるほどであるため、春に防塵マスクが多く着用されており、春以外にも大気汚染が次第にひどくなっているため、一般人も健康上の理由のため多く着用している実情である。
【０００４】
防塵マスクの目的は、外部の汚染された空気を濾過して最大限に新鮮な空気を吸い込もうとすることであり、フィルター紙の品質を高めて濾過性能を向上させている。しかし、フィルター紙の品質向上だけでなく、フィルター紙の濾過面積がなるべく大きく確保されることが重要である。したがって、従来の防塵マスクは、着用時に耳バンドが付着するフィルター紙の両面が着用者の頬と面対面接触方式で着用されることによって、実質的な濾過機能は口元のフィルター紙に限定されるため、フィルター紙のサイズに比べて濾過面積が狭いという問題点があった。
【発明の概要】
【発明が解決しようとする課題】
【０００５】
したがって、本発明は、前述の問題点に鑑みてなされたものであり、防塵マスクのフィルター紙のサイズに対して粉じんの濾過面積を最大限に確保することができる４面防塵マスクを提供することを目的とする。すなわち、本発明に係る４面防塵マスクの着用時、口の前方に位置するフィルター紙はドーム状に突出し、耳バンドが付着するフィルター紙の両側が着用者の頬と線接触方式で着用されることによって、フィルター紙と頬との接触面積が最小化されて、実質的にフィルター紙の粉じんの濾過面積が拡大する４面防塵マスクを提供する。
【課題を解決するための手段】
【０００６】
本発明の具体的な課題解決手段としては、鼻を覆う上部フィルター紙（１１）及び顎を覆う下部フィルター紙（１２）が中央突出フィルター紙（４０）に付着するが、上部フィルター紙（１１）及び下部フィルター紙（１２）の両端が、中央突出フィルター紙（４０）を二分する湾曲接地線（４１）の両端に表示された中心点（Ｐ）に合うように共に付着し、前記湾曲接地線（４１）は、中心点Ｐから所定の長さを有する直線部（４１ａ）の形態に突出形成されて、上部フィルター紙（１１）及び下部フィルター紙（１２）の展開過程で中央突出フィルター紙（４０）はドーム状に突出するように構成する。
【発明の効果】
【０００７】
本発明によって防塵マスクフィルター紙のサイズに対して粉じんの濾過面積を最大限に確保することができるため、マスクの機能が向上して着用者の健康がさらに担保されるだけでなく、四面に折り畳まれる本発明の構成によって保管及び流通過程で包装コスト及び物流コストが節約されることができる。
【図面の簡単な説明】
【０００８】
【図１】従来のしわ状の防塵マスクの斜視図である。
【図２】従来の３面防塵マスクの正面図及び背面図である。
【図３】従来の３面防塵マスクの着用状態図である。
【図４】本発明に係る４面防塵マスクの背面図である。
【図５】本発明に係る４面防塵マスクが折り畳まれた状態を示す図面である。
【図６】本発明に係る４面防塵マスクの側面図である。
【図７】本発明に係る４面防塵マスクの中央突出フィルター紙を説明するための斜視図である。
【図８】本発明に係る４面防塵マスクの着用状態図である。
【発明を実施するための形態】
【０００９】
以下、添付された図面を参照して、本発明の目的を達成することができる好ましい実施形態の技術構成を従来の技術と比較して説明すれば次の通りである。
【００１０】
図１は、従来のしわ状の防塵マスクの斜視図である。
【００１１】
図１に示すように、中央フィルター紙１０にはしわ部１４が形成される。前記しわ部１４は、中央フィルター紙１０の顔面カバーの面積を大きくし、流通過程で体積を縮小させるために数回接地して形成したものである。前記中央フィルター紙１０は、粉じんの濾過性能を高めるために、一般的に外皮、中間皮、内皮の３重構造を有し、中央フィルター紙１０の上部には折り曲げワイヤー３０が挿入される。
【００１２】
折り曲げワイヤー３０は、防塵マスクの着用時に防塵効果を向上させるためのものであって、鼻の屈曲に沿って密着するように自由折り曲げ可能な可撓性の材質を使用する。一方、フィルター紙の縫合及び耳バンド１３の付着は、一般的な超音波技術を利用して融着部２０を形成して熱融着させる。
【００１３】
図２の（ａ）は、従来の３面防塵マスクの正面図であって、口元を覆う中央フィルター紙１０、鼻を覆う上部フィルター紙１１及び顎を覆う下部フィルター紙１２を備えて総３面で構成される。３面防塵マスクのフィルター紙も粉じんの濾過性能を高めるために、外皮、中間皮、内皮の３重構造を有する。
【００１４】
図２の（ｂ）は、中央フィルター紙１０、上部フィルター紙１１、下部フィルター紙１２から構成される３面防塵マスクの背面図であって、着用時に頬と接触するフィルター紙の面接触領域を説明するために示す。
【００１５】
図２の（ｂ）に示すように、上部フィルター紙１１は、中央フィルター紙１０と接地線２１を中心に超音波を通じて融着部２０を形成するように熱融着し、下部フィルター紙１２も接地線２１を中心に中央フィルター紙１０の下部と接触させた後、超音波を通じて熱融着する。
【００１６】
前記上部フィルター紙１１と下部フィルター紙１２は、接地線２１を中心に折り畳まれて中央フィルター紙１０に対面方式で折り畳まれ、製品の包装時または未着用時に３面が平らな状態で保管される。着用時には上部フィルター紙１１と下部フィルター紙１２とを接地線２１を中心に広げた後、着用者の鼻、頬及び顎と密着させるが、上部フィルター紙１１に挿入された折り曲げワイヤー３０を通じて堅く密着させ、それと同時に耳バンド１３を耳にかけることによって口元及び鼻を覆う空気チャンバ状に着用が完了する。
【００１７】
しかし、従来の３面防塵マスクを着用すれば、図２の（ｂ）に示すように、中央フィルター紙１０の"Ａ"領域、上部フィルター紙１１及び下部フィルター紙１２の"Ｂ"領域、及び耳バンド１３が付着する中央フィルター紙１０の"Ｃ"領域が着用者の頬に面対面接触方式で着用されることから、空気チャンバ状に着用される３面防塵マスクの実質的な濾過面積は口元の中央フィルター紙１０に限定されるという問題点がある。
【００１８】
すなわち、３面防塵マスクの"Ａ、Ｂ、Ｃ"の面接触領域が、図３に楕円で示されているように、頬と面対面方式で接触されることによって、呼吸過程で行われる粉じんの濾過機能が口元から前方に所定間隔離隔された中央フィルター紙１０の限定された部分でのみ行われ、頬と接触する"Ａ、Ｂ、Ｃ"の面接触領域では行われないため、中央フィルター紙１０の総面積に比べて粉じんの濾過面積が相対的に狭すぎるという問題点がある。
【００１９】
一方、図１に示すしわ状の防塵マスクは、着用時にコップ状の空気チャンバの形状になるのではなく、口と中央フィルター紙１０とが接触して、唾が付いたり口紅が付くことによって新しいものに交替することが頻繁であり、使用周期が短いという問題点がある。
【００２０】
本発明では、中央フィルター紙１０の総面積に比べて粉じんの濾過面積を相対的に大きくすることによって粉じんの濾過性能を向上させるだけでなく、保管及び流通過程で防塵マスクの体積を縮小させることができる４面防塵マスクを提案する。
【００２１】
以下、図４ないし図８を参照して本発明を説明するが、従来の構成と重なる同じ構成要素には同じ符号を付いて説明する。
【００２２】
図４は、本発明に係る４面防塵マスクの背面図であって、接地線２１を基準に上部フィルター紙１１と下部フィルター紙１２が１面と２面に該当し、中央突出フィルター紙４０は湾曲接地線４１を基準に二分されて３面及び４面をなす。上部フィルター紙１１と下部フィルター紙１２は、接地線２１のように湾曲状をなし、中央突出フィルター紙４０に一般的な超音波によって融着部２０が形成されるように熱融着されるが、上部フィルター紙１１及び下部フィルター紙１２の両端が中央突出フィルター紙４０を二分する湾曲接地線４１の両端に表示された中心点Ｐに合うように共に熱融着される。
【００２３】
一方、上部フィルター紙１１には、マスクの着用時に鼻の屈曲面で細密に密着するように、鼻の屈曲面に沿って自由折り曲げ可能な折り曲げワイヤー３０が挿入され、中央突出フィルター紙４０の両面には耳バンド１３が付着し、耳バンド１３が付着する部分をバンド接着部４２と言う。
【００２４】
図５は、 本発明に係る４面防塵マスクが折り畳まれた状態を示す図面であり、図６は、本発明に係る４面防塵マスクの側面図である。
【００２５】
図５に示すように、本発明の４面防塵マスクは保管及び流通時にバナナ状に折り畳まれるが、これは上部フィルター紙１１及び下部フィルター紙１２が接地線２１を基準に中央突出フィルター紙４０の内側にそれぞれ接地され、上部フィルター紙１１及び下部フィルター紙１２が接地された状態で中央突出フィルター紙４０が湾曲接地線４１を基準に半分に折り畳まれるため、まるでバナナ状のように湾曲接地線４１の部分が湾曲状に折り畳まれる。前記湾曲接地線４１は、中央突出フィルター紙４０を二分するものであって、図５に示すように、中心点Ｐから所定の長さを有する直線部４１ａの形態のように突出した後、湾曲部４１ｂの形態に変形する。
【００２６】
したがって、このように折り畳まれた４面防塵マスクを展開させれば、図６に示すように、中央突出フィルター紙４０が前方に多く突出した形態に広げられるが、これは、上部フィルター紙１１及び下部フィルター紙１２をつかんで上下に広げるとき、湾曲接地線４１の直線部４１ａが中心点Ｐを基準に既に突出するように形成されることによって可能である。
【００２７】
また、上部フィルター紙１１及び下部フィルター紙１２が中央突出フィルター紙４０を二分する湾曲接地線４１の両端に表示された中心点Ｐに合うように共に熱融着されることによって、マスクの展開過程で中心点Ｐを基準に、図６に示すように線接触ラインＬが形成され、本発明に係る４面防塵マスクの着用時に着用者の頬に線接触ラインＬを基準に４面防塵マスクが線接触することによって、粉じんの濾過機能を行う実質的な濾過面積が大きくなる。従来には、マスクの両面が着用時に頬に大部分面接触することによって、実質的な濾過面積が狭すぎた。
【００２８】
図７は、本発明に係る４面防塵マスクの中央突出フィルター紙を説明するための斜視図であって、図７の（ａ）は、耳バンド１３が付着する４個のバンド接着部４２を広げて、バンド接着部４２を地面に置いた状態を示す図面であり、図７の（ｂ）は、図７の（ａ）の図面を側面から見たものを示す図面である。
【００２９】
図７に示すように、本発明に係る４面防塵マスクは、上部フィルター紙１１及び下部フィルター紙１２を展開しない状態でも中央突出フィルター紙４０が前方にドーム状に多く突出する形状に製作されるうえ、前述のように、着用時にも線接触ラインＬが形成されて着用者の頬でマスクの両側が線接触されることによって、結局、粉じんを濾過するためのフィルター紙の面積が実質的に拡がる。
【００３０】
図８は、本発明に係る４面防塵マスクの着用状態図であって、上部フィルター紙１１を展開させて折り曲げワイヤー３０を鼻面に密着させ、下部フィルター紙１２を下方に顎の下部まで展開させた後に耳バンド１３を耳にかければ、中央突出フィルター紙４０はドーム状に前方に突出し、４面防塵マスクと着用者の頬とは中心点Ｐを基準に線接触ラインＬで線接触されることによってフィルター紙と頬との接触面積が最小化されて、実質的にフィルター紙の粉じんの濾過面積が拡がり、マスクの機能が向上する。
【符号の説明】
【００３１】
１０  中央フィルター紙
１１  上部フィルター紙
１２  下部フィルター紙
１３  耳バンド
１４  しわ部
２０  融着部
２１  接地線
３０  折り曲げワイヤー
４０  中央突出フィルター紙
４１  湾曲接地線
４１ａ  直線部
４１ｂ  湾曲部
４２  バンド接着部
Ａ、Ｂ、Ｃ  面接触領域
Ｐ  中心点
Ｌ  線接触ライン
【図１】
2010057903.tif 000003
【図２】
2010057903.tif 000004
【図３】
2010057903.tif 000005
【図４】
2010057903.tif 000006
【図５】
2010057903.tif 000007
【図６】
2010057903.tif 000008
【図７】
2010057903.tif 000009
【図８】
2010057903.tif 000010